(57)【要約】【課題】挿入部から筐体内部にゴミなどの異物が入るのを防止することができる薄型表示装置を提供する。【解決手段】表示パネルを収納する筐体１０にスタンド４０の支柱を取付けて支持する薄型表示装置において、筐体１０は、スタンド４０の支柱が挿入される挿入部を有する。挿入部は、底及び該底を挟んで対向する２つの側壁を有する部材を備える。筐体１０は、表示画面側の前面筐体及びその反対側の背面筐体１２を含み、背面筐体１２から前記挿入部まで貫通するネジ窓１６が設けられている。【選択図】図１
2007192920.tif 000002
【特許請求の範囲】
【請求項１】
表示パネルを収納する筐体にスタンドの支柱を取付けて支持する薄型表示装置において、
前記筐体は、スタンドの支柱が挿入される挿入部を有することを特徴とする薄型表示装置。
【請求項２】
前記挿入部は、底及び側壁を有する部材を備えることを特徴とする請求項１記載の薄型表示装置。
【請求項３】
前記部材は、底及び対向する２つの側壁を有することを特徴とする請求項２記載の薄型表示装置。
【請求項４】
前記筐体は、表示画面側の前面筐体及びその反対側の背面筐体を含み、
前記部材は、前面筐体又は背面筐体の一方に取付けられていることを特徴とする請求項２又は３記載の薄型表示装置。
【請求項５】
前記背面筐体から前記挿入部まで貫通する貫通孔が設けられていることを特徴とする請求項４記載の薄型表示装置。
【発明の詳細な説明】
【技術分野】
【０００１】
本発明は、表示パネルを収納する筐体にスタンドの支柱を取付けて支持する薄型表示装置に関する。
【背景技術】
【０００２】
近年、ブラウン管を用いた表示装置に代わって、液晶パネルなどを用いた薄型表示装置が用いられている。薄型表示装置はブラウン管と比較して小型・軽量という特長を有する。液晶パネルを収納する筐体は直方体形状であるため、箱に梱包する場合は無駄なスペースが生じず、効率的に梱包できると考えられる。しかし、筐体にはスタンドが取付けられており、奥行きは、スタンドの方が広い場合が多い。また、液晶表示装置は、スタンドで支持する以外に、壁などに掛ける場合もある。
【０００３】
そのため、液晶パネルを収容する筐体にスタンド兼連結部を設け、スタンドの支柱に挿入孔を設け、前記スタンド兼連結部を前記挿入孔に挿入することで、スタンドの取付け及び取外しを容易に行うことができる薄型表示装置が提案されている（例えば、特許文献１参照）。
【特許文献１】特開２００５−１１５４０３号公報
【発明の開示】
【発明が解決しようとする課題】
【０００４】
特許文献１では、スタンドから取外した状態であっても、スタンド兼連結部をスタンドのように使用することができるが、スタンド兼連結部を取付けた分、奥行きが増加するという問題がある。また、スタンド兼連結部は筐体に取付けられているため、液晶パネルを立てた状態で筐体を前面筐体と背面筐体とに分離することができず、製造時又はメンテナンス時の作業性が低いという問題がある。
【０００５】
本発明は斯かる事情に鑑みてなされたものであり、表示パネルを収納する筐体に、スタンドの支柱が挿入される挿入部を設けたことにより、容易にスタンドの取付け及び取外しを行うことができる薄型表示装置を提供することを目的とする。
【０００６】
また、本発明は、前記挿入部が底及び側壁を有する部材を備えることにより、挿入部から筐体内部にゴミなどの異物が入るのを防止することができる薄型表示装置を提供することを他の目的とする。
【０００７】
また、本発明は、前記部材が底及び対向する２つの側壁を有することにより、前記部材の取付などの作業性を高めることができる薄型表示装置を提供することを他の目的とする。
【０００８】
また、本発明は、前記部材が表示画面側の前面筐体又はその反対側の背面筐体の一方に取付けられていることにより、スタンドを筐体に取付けたまま前面筐体と背面筐体との取付け及び取外しを行うことができる薄型表示装置を提供することを他の目的とする。
【０００９】
また、本発明は、前記背面筐体から前記挿入部まで貫通する貫通孔が設けられていることにより、前記貫通孔にネジを挿入して前記支柱を前記側壁に固定することができる薄型表示装置を提供することを他の目的とする。
【課題を解決するための手段】
【００１０】
本発明に係る薄型表示装置は、表示パネルを収納する筐体にスタンドの支柱を取付けて支持する薄型表示装置において、前記筐体は、スタンドの支柱が挿入される挿入部を有することを特徴とする。
【００１１】
本発明に係る薄型表示装置は、前記挿入部は、底及び側壁を有する部材を備えることを特徴とする。
【００１２】
本発明に係る薄型表示装置は、前記部材は、底及び対向する２つの側壁を有することを特徴とする。
【００１３】
本発明に係る薄型表示装置は、前記筐体は、表示画面側の前面筐体及びその反対側の背面筐体を含み、前記部材は、前面筐体又は背面筐体の一方に取付けられていることを特徴とする。
【００１４】
本発明に係る薄型表示装置は、前記背面筐体から前記挿入部まで貫通する貫通孔が設けられていることを特徴とする。
【００１５】
本発明においては、表示パネルを収納する筐体に、スタンドの支柱が挿入される挿入部を設けてあるため、前記支柱を挿入部に抜き差しすることで容易にスタンドの取付け及び取外しを行うことができる。梱包時にスタンドを分離して、梱包スペースを減少させることができる。その際、表示パネル側は、従来のスタンド兼連結部を備えないため、奥行きをより減少させることができる。
【００１６】
本発明においては、前記挿入部が底及び側壁を有する部材を備えるため、前記底により、挿入部から筐体内部にゴミなどの異物が入るのを防止することができる。表示パネルの筐体に挿入部を設けた場合、挿入部から筐体内にゴミなどの異物が入る可能性があるが、上述したように、挿入部に底を設けることにより、異物が筐体内に入るのを防止できる。
【００１７】
本発明においては、前記部材が底及び対向する２つの側壁を有するため、２つの側壁に沿うようにスタンドの支柱を挿入することができる。また、前記部材は、平板をコ字型に折曲げて一体的に構成することができ、前記部材の生産性及び取付などの作業性を高めることができる。
【００１８】
本発明においては、前記部材が表示画面側の前面筐体又はその反対側の背面筐体の一方に取付けられているため、スタンドを筐体に取付けたまま前面筐体と背面筐体との取付け及び取外しを行うことができる。そのため、製造時又はメンテナンス時の作業性が向上する。
【００１９】
本発明においては、前記背面筐体から前記挿入部まで貫通する貫通孔が設けられているため、前記貫通孔から前記支柱にネジを挿入してネジ孔に螺合させるなどして、前記支柱を固定することができる。
【発明の効果】
【００２０】
本発明によれば、容易にスタンドの取付け及び取外しを行うことができる。また、奥行きをより減少させることができる。
【００２１】
本発明によれば、挿入部から筐体内部にゴミなどの異物が入るのを防止することができる。
【００２２】
本発明によれば、底及び側壁を有する部材の生産性及び取付などの作業性を高めることができる。
【００２３】
本発明によれば、スタンドを筐体に取付けたまま前面筐体と背面筐体との取付け及び取外しを行うことができる。
【００２４】
本発明によれば、背面筐体の貫通孔にネジを挿入してスタンドの支柱を固定することができる。
【発明を実施するための最良の形態】
【００２５】
以下、本発明をその実施の形態を示す図面に基づいて具体的に説明する。
図１及び図２は本発明に係る薄型表示装置の背面側の斜視図であり、図３は薄型表示装置の分解斜視図である。液晶パネル（表示パネル）を収容する筐体１０は、図３に示すように、表示画面側の前面筐体２２とその反対側の背面筐体１２とに分離することが可能である。また、図１及び図２に示すように、スタンド４０は筐体１０に取付け及び取外し可能である。
【００２６】
スタンド４０は、スタンド台と該スタンド台と垂直な支柱４２とを備え、支柱４２にはネジが貫通される貫通孔４４が４つ設けられている。また、筐体１０は、スタンド４０の支柱４２が挿入される挿入部２０を備え、背面筐体１２の挿入部２０付近には、支柱４２の貫通孔４４に対応する位置に、ネジが貫通されるネジ窓（貫通孔）１６が４つ設けられている。また、挿入部２０の前面筐体２２側には、背面筐体１２のネジ窓１６に対応する位置に、ネジが螺合されるネジ孔が設けられている。
【００２７】
スタンド４０の支柱４２を筐体１０の挿入部２０に挿入し、ネジをネジ窓１６及び貫通孔４４に挿入してネジ締めすることにより、スタンド４０を筐体１０に固定することができる。また、ネジを外し、支柱４２を挿入部２０から抜くことにより、スタンド４０を筐体１０から取外すことができる。なお、背面筐体１２には、筐体１０を壁などに掛けるための凹部１４が設けられている。
【００２８】
挿入部２０は、コ字形部材２８とカバー２４とを備える。コ字形部材２８は前面筐体２２に固定されているアーム２６に固定されている。図４及び図５は挿入部付近の拡大斜視図である。コ字形部材２８は平板をコ字形に折り曲げた形状をしており、長方形状の底と該底を挟んで対向する長方形状の側板（側壁）とを有する。図５に示すように、コ字形部材２８の側板の一方を前面筐体２２のアーム２６に固定している。そして、平面部を有するカバー２４をコ字形部材２８の側板間に挿入し、前面筐体２２にネジ止めなどで固定している。カバー２４の平面部はコ字形部材２８の側板と平行である。
【００２９】
カバー２４の平面部と、コ字形部材２８の底及び他方の側板により挿入部２０が構成される。また、背面筐体１２には、挿入部２０用の開口が設けられている。そして、コ字形部材２８の両側板及びカバー２４の平面部には、支柱４２の貫通孔４４に対応する貫通孔３０，３２が設けられている。また、コ字形部材２８の下方（前面筐体２２側）には、貫通孔３０に対応する位置にネジが螺合されるネジ孔が設けられている。
【００３０】
スタンド４０を筐体１０に取付る場合は、スタンド４０の支柱４２を筐体１０の挿入部２０に挿入し、支柱４２の貫通孔４４と背面筐体１２のネジ窓１６との位置を合わせてネジを挿入し、ネジを締めて固定する。ネジの先端は、コ字形部材２８の貫通孔３０、支柱４２の貫通孔４４、及びカバー２４の貫通孔３２を通過し、前面筐体２２のネジ孔に螺合される。
【００３１】
なお、背面筐体１２のネジ窓１６はネジの頭部よりも大きく、ネジの頭部はコ字形部材２８と接触している。そのため、図３に示すように、スタンド４０を取付けたまま、背面筐体１２を分離することができる。そのため、製造時又はメンテナンス時の作業性が向上する。
【００３２】
スタンド４０を筐体１０から取外す場合は、背面筐体１２のネジ窓１６からネジを取外し、スタンド４０の支柱４２を筐体１０の挿入部２０から抜取る。この場合、挿入部２０は開口した状態になり、ゴミなどの異物が入るおそれがあるが、コ字形部材２８の底により、異物が筐体内部に入るのを防止することができる。
【００３３】
上述した実施の形態においては、コ字形部材２８を用いて挿入部２０を構成したが、例えばＬ字形部材を用いて挿入部２０を構成することも可能である。Ｌ字形部材の場合は、コ字形部材２８をＬ字形部材及び平板部材に分けたような構成になり、前面筐体２２側にＬ字形部材を取付け、背面筐体１２側に平板部材を取付けたり、前面筐体２２側に平板部材を取付け、背面筐体１２側にＬ字形部材を取付けることが可能である。
【図面の簡単な説明】
【００３４】
【図１】本発明に係る薄型表示装置の背面側の斜視図である。
【図２】本発明に係る薄型表示装置の背面側の斜視図である。
【図３】薄型表示装置の分解斜視図である。
【図４】挿入部付近の拡大斜視図である。
【図５】挿入部付近の拡大斜視図である。
【符号の説明】
【００３５】
１０  筐体
１２  背面筐体
１４  凹部
１６  ネジ窓
２０  挿入部
２２  前面筐体
２４  カバー
２６  アーム
２８  コ字形部材
３０、３２、４４  貫通孔
４０  スタンド
４２  支柱
【図１】
2007192920.tif 000003
【図２】
2007192920.tif 000004
【図３】
2007192920.tif 000005
【図４】
2007192920.tif 000006
【図５】
2007192920.tif 000007